(57)【特許請求の範囲】
【請求項１】
光ピックアップに備えられる光源を保持するために使用される光源用ホルダであって、
ホルダ本体部と、
前記ホルダ本体部を貫通する孔であって光源が嵌め込まれる貫通孔と、
前記ホルダ本体部を挟んで互いに反対側となる第１の側と第２の側とのうち、前記第１の側から、直線偏光を出射する第１の光源を前記貫通孔に嵌め込んだ場合に前記第１の光源を保持する第１の保持部と、
前記第２の側から、出射される直線偏光の偏光方向が前記第１の光源の直線偏光の偏光方向と異なるように前記第１の光源とは異なる取り付け角で取り付けられる第２の光源を前記貫通孔に嵌め込んだ場合に前記第２の光源を保持する第２の保持部と、
を備え、
前記第１の光源及び前記第２の光源には出射される直線偏光の偏光方向を識別するための溝部が形成され、
前記第１の保持部には、前記貫通孔の内壁から突出して前記第１の光源の前記溝部と係合する第１の係合部が形成され、
前記第２の保持部には、前記貫通孔の内壁から突出して前記第２の光源の前記溝部と係合する第２の係合部が形成され、
前記第２の係合部は、前記第１の係合部が設けられる位置に対して所定の角度回転した位置に設けられることを特徴とする光源用ホルダ。
【請求項２】
前記貫通孔の貫通方向の略中央には、前記貫通孔の内壁から突出するリング状のストッパー部が形成され、
前記第１の保持部と前記第２の保持部とは、前記ストッパー部を挟んで互いに反対側の位置に形成され、
前記第１の保持部には、前記貫通孔の内壁から突出して前記第１の側から嵌め込まれた前記第１の光源の一部を押圧する第１の押圧部が形成され、
前記第２の保持部には、前記貫通孔の内壁から突出して前記第２の側から嵌め込まれた前記第２の光源の一部を押圧する第２の押圧部が形成されることを特徴とする請求項１に記載の光源用ホルダ。
【請求項３】
前記ホルダ本体部には、前記貫通孔を挟んで１つずつ形成され、前記貫通孔と同一方向に貫通して前記ホルダ本体部の治具による保持を可能とする治具用孔が形成され、前記治具用孔の一方は長孔であることを特徴とする請求項１又は２に記載の光源用ホルダ。
【請求項４】
請求項１から３のいずれかに記載の光源用ホルダと、前記第１の光源と、前記第２の光源と、を備えることを特徴とする光ピックアップ。
【請求項５】
前記第１の光源はＢＤ用のレーザ光を出射する半導体レーザ素子であり、前記第２の光源はＤＶＤ用のレーザ光とＣＤ用のレーザ光とを切り替えて出射する半導体レーザ素子であることを特徴とする請求項４に記載の光ピックアップ。
【発明の詳細な説明】
【技術分野】
【０００１】
本発明は、光ピックアップに備えられる光源を保持するために使用される光源用ホルダに関する。また、本発明は、そのような光源用ホルダを備える光ピックアップに関する。
【背景技術】
【０００２】
コンパクトディスク（以下、ＣＤという。）やデジタル多用途ディスク（以下、ＤＶＤという。）といった光記録媒体が普及している。更に、最近では、ブルーレイディスク（以下、ＢＤという。）等の大容量の情報を記録できる光記録媒体も実用化されている。このような光記録媒体からの情報の読み取りや光記録媒体への情報の書き込みは、光ピックアップを用いて行われる。
【０００３】
光ピックアップにおいては、ＣＤの情報の読み取りや書き込みを行う場合には例えば波長７８０ｎｍの光が使用される。また、ＤＶＤの場合には例えば波長６５０ｎｍの光が、ＢＤの場合には例えば波長４０５ｎｍの光が使用される。このために、従来の光ピックアップにおいては、複数種類の光記録媒体に対して情報の読み取りや書き込みが行えるように、互いに異なる波長の光を出射する複数の光源を備えるものがある。
【０００４】
光ピックアップにおいて、光記録媒体に光を照射するために使用される光源として、従来、半導体レーザ素子が使用される。この半導体レーザ素子は、ホルダに搭載された状態で光ピックアップに取り付けられるのが一般的である（例えば、特許文献１〜３を参照）。そして、複数種類の光記録媒体に対して情報の読み取りや書き込みが行えるように複数の半導体レーザ素子を有する場合には、半導体レーザ素子各々に対してホルダが必要となる。
【０００５】
ところで、光ピックアップに備えられる半導体レーザ素子から出射されるレーザ光は、一般的には直線偏光とされる。そして、複数の半導体レーザ素子を備える光ピックアップにおいては、各半導体レーザ素子から出射されるレーザ光（直線偏光）の偏光方向が異なる方向とされる場合がある。このような場合、ホルダに取り付ける半導体レーザ素子の取付方向（取付角）が異なることになるために、各半導体レーザ素子に対して異なる構造を持ったホルダを使用する必要があった。そのために、構造の異なるホルダ毎に別々の金型を準備して別々にホルダを作成する必要があり、光ピックアップの製造コストアップの要因となっていた。
【特許文献１】特許第３７７９６０８号公報
【特許文献２】特許第３８３３９３４号公報
【特許文献３】特開２００４−１１１５０７号公報
【発明の開示】
【発明が解決しようとする課題】
【０００６】
以上の点を鑑みて、本発明の目的は、光ピックアップが２つの光源を備える場合でも、光源を保持するための光源用ホルダに要するコストを低く抑えられる光源用ホルダを提供することである。また、本発明の他の目的は、そのような光源用ホルダを備えることにより、２つの光源を有する場合でも低コストで製造できる光ピックアップを提供することである。
【課題を解決するための手段】
【０００７】
上記目的を達成するために本発明は、光ピックアップに備えられる光源を保持するために使用される光源用ホルダであって、ホルダ本体部と、前記ホルダ本体部を貫通する孔であって光源が嵌め込まれる貫通孔と、前記ホルダ本体部を挟んで互いに反対側となる第１の側と第２の側とのうち、前記第１の側から第１の光源を前記貫通孔に嵌め込んだ場合に前記第１の光源を保持する第１の保持部と、前記第２の側から第２の光源を前記貫通孔に嵌め込んだ場合に前記第２の光源を保持する第２の保持部と、を備えることを特徴としている。
【０００８】
本構成によれば、異なる２つの光源をそれぞれ別々の側から光源用ホルダに嵌め込んで保持することが可能となる。このために、光ピックアップにおいて２つの光源が必要となる場合であっても、準備する光源用ホルダは１種類でよい。このために、２種類の光源用ホルダを準備する場合に比べて製造コストを抑制することが可能となる。
【０００９】
上記構成の光源用ホルダの具体的な構成として、前記貫通孔の貫通方向の略中央には、前記貫通孔の内壁から突出するリング状のストッパー部が形成され、前記第１の保持部と前記第２の保持部とは、前記ストッパー部を挟んで互いに反対側の位置に形成され、前記第１の保持部には、前記貫通孔の内壁から突出して前記第１の側から嵌め込まれた前記第１の光源の一部を押圧する第１の押圧部が形成され、前記第２の保持部には、前記貫通孔の内壁から突出して前記第２の側から嵌め込まれた前記第２の光源の一部を押圧する第２の押圧部が形成されることとしてもよい。
【００１０】
本構成によれば、第１の光源或いは第２の光源を貫通孔に圧入した場合に、ストッパー部が光源の抜け止めとして機能する。従って、光源用ホルダに、第１の光源と第２の光源とのうちのいずれを取り付ける場合でも、光源を安定して保持することが可能となる。
【００１１】
また、上記構成の光源用ホルダにおいて、前記第１の光源及び前記第２の光源には溝部が形成され、前記第１の保持部には、前記貫通孔の内壁から突出して前記第１の光源の前記溝部と係合する第１の係合部が形成され、前記第２の保持部には、前記貫通孔の内壁から突出して前記第２の光源の前記溝部と係合する第２の係合部とが形成されることとしてもよい。また、上記構成において、前記第１の係合部と前記第２の係合部とが前記貫通孔の内壁から突出する方向は、互いに異なる方向であることとしてもよい。
【００１２】
２つの光源を光ピックアップに搭載する場合に、光源から出射される直線偏光の偏光方向を異なる方向とする場合がある。この場合、光源の取付方向は異なる方向とされる。この点、本構成によれば、係合部の突出方向によって光源の取付方向を管理できる。そして、２つの光源の取付方向が異なる場合でも、光源用ホルダを２つ準備する必要がなく、製造コストを抑制できる。
【００１３】
また、上記構成の光源用ホルダにおいて、前記ホルダ本体部には、前記貫通孔を挟んで１つずつ形成され、前記貫通孔と同一方向に貫通して前記ホルダ本体部の治具による保持を可能とする治具用孔が形成されることとしてもよい。この構成によれば、治具用孔が貫通孔であり、光源用ホルダに第１の光源と第２の光源のいずれの光源を取り付ける場合でも、治具を用いて行う光源の光軸合わせを容易に行える。
【００１４】
また、上記目的を達成するために本発明は、上記構成の光源用ホルダと、前記第１の光源と、前記第２の光源と、を備える光ピックアップであることを特徴としている。これによれば、２つの光源を備えるにもかかわらず、光源用ホルダを１種類準備すれば光ピックアップを製造できるために、製造コストを抑制することが可能となる。
【００１５】
上記構成の光ピックアップの具体的な構成として、前記第１の光源はＢＤ用のレーザ光を出射する半導体レーザ素子であり、前記第２の光源はＤＶＤ用のレーザ光とＣＤ用のレーザ光とを切り替えて出射する半導体レーザ素子であることとしても構わない。
【発明の効果】
【００１６】
本発明によれば、光ピックアップが２つの光源を備える場合でも、光源を保持するための光源用ホルダに要するコストを低く抑えられる光源用ホルダを提供できる。また、本発明によれば、２つの光源を有する場合でも低コストで製造できる光ピックアップを提供できる。
【発明を実施するための最良の形態】
【００１７】
以下、本発明の光源用ホルダと光ピックアップの実施形態について、図面を参照しながら詳細に説明する。
【００１８】
（光ピックアップの構成）
まず、本実施形態の光ピックアップの構成について説明する。図１は、本実施形態の光ピックアップの構成を示す概略平面図である。図２は、本実施形態の光ピックアップの構成を示す概略側面図で、図１の位置Ａ側から見た側面図である。なお、図１においては、説明の便宜上、光ピックアップを構成する部材ではないガイドシャフト１００ａ、１００ｂについても示している。
【００１９】
光ピックアップ１は、図示しない光ディスク（図１を参照して、紙面の手前側に配置される）にレーザ光を照射し、光ディスクで反射される反射光を受け取り、光信号を電気信号に変換して出力する。光ピックアップ１は、通常、図１に示すように光ディスクの半径方向と平行な方向に延びる２本のガイドシャフト１００ａ、１００ｂに沿って移動可能な状態で配置される。これにより、光ピックアップ１は、高速回転する光ディスクに形成される各アドレスにアクセス可能となり、光ディスクに記録される情報の読み取りや光ディスクへの情報の書き込みが可能となる。
【００２０】
図１に示すように、光ピックアップ１には、２本のガイドシャフト１００ａ、１００ｂに対して光ピックアップ１が摺動可能に取り付けられるようにガイドシャフト支持部２ａ、２ｂが設けられる。また、光ピックアップ１には、図１及び図２に示すように、第１光源１１と、第２光源２１と、第１対物レンズ１７と、第２対物レンズ２５と、を備える。第１光源１１から出射される光は、第１対物レンズ１７によって光ディスクの記録層に集光される。また、第２光源２１から出射されるレーザ光は、第２対物レンズ２５によって光ディスクの記録層に集光される。
【００２１】
なお、本実施形態の光ピックアップ１は、ＢＤ、ＤＶＤ及びＣＤの３種類の光ディスクに対して情報の読み取りと書き込みを可能に設けられている。そして、第１光源１１は、例えば波長４０５ｎｍ帯のレーザ光を出射するＢＤ用の半導体レーザ素子である。また、第２光源２１は、例えば、波長６５０ｎｍ帯のレーザ光と波長７８０ｎｍ帯のレーザ光とを切り替えて出射できるＤＶＤ及びＣＤ用の半導体レーザ素子（２波長レーザ）である。このような２波長レーザとしては、いわゆるモノリシック型の半導体レーザ素子やハイブリッド型の半導体レーザ素子が好適に使用される。なお、第１光源１１及び第２光源２１から出射されるレーザ光は直線偏光である。
【００２２】
図３は、本実施形態の光ピックアップ１が備える光学系の構成を示す概略平面図である。図３に示すように、本実施形態の光ピックアップ１においては、第１光源１１から出射されるレーザ光が第１対物レンズ１７へと至る経路と、第２光源２１から出射されたレーザ光が第２対物レンズ２５へと至る経路とは、異なる経路となっている。
【００２３】
第１光源１１から出射されたレーザ光（直線偏光）は、回折素子１２によって主ビームと２本の副ビームとに分けられる。その後、偏光ビームスプリッタ１３によって反射され、第１コリメートレンズ１４を通過する。第１コリメートレンズ１４は、球面収差を補正できるように光軸方向（図３に矢印で示す方向）に移動可能に設けられている。なお、第１コリメートレンズ１４の位置を調整することで、第１対物レンズ１７に入射する光の収束発散状態を変化させることができる。
【００２４】
第１コリメートレンズ１４を通過したレーザ光は、１／４波長板１５で円偏光に変換され、第１立ち上げミラー１６によって反射されて、その進行方向を光ディスクに向かう向き（図３において、紙面に対して手前へと向かう向きが該当）に変換される。第１立ち上げミラー１６で反射された光は、第１対物レンズ１７によって光ディスクの記録層に集光される。
【００２５】
その後、記録層で反射された反射光は、第１対物レンズ１７を通過後、第１立ち上げミラー１６で反射され、１／４波長板１５で直線偏光に変換される。なお、この際の偏光方向は、第１光源１１から出射された直線偏光の偏光方向に対して９０度回転した方向である。
【００２６】
１／４波長板１５を通過した反射光は、第１コリメートレンズ１４、第１偏光ビームスプリッタ１３を透過し、第１シリンドリカルレンズ１８によって非点収差を与えられて第１フォトディテクタ１９に集光する。第１フォトディテクタ１９は、受光した光信号を電気信号に変換して出力する。なお、出力された電気信号は処理されて、再生ＲＦ信号、フォーカスエラー信号、トラッキングエラー信号等となる。
【００２７】
第２光源２１から出射されたレーザ光（直線偏光）は、ハーフミラー２２で反射されて、第２コリメートレンズ２３で平行光に変換される。第２コリメートレンズ２３で平行光に変換された光は、第２立ち上げミラー２４によって反射されて、その進行方向を光ディスクに向かう向き（図３において、紙面に対して手前へと向かう向きが該当）に変換される。第２立ち上げミラー２４で反射された光は、第２対物レンズ２５によって光ディスクの記録層に集光される。
【００２８】
その後、記録層で反射された反射光は、第２対物レンズ２５を通過後、第２立ち上げミラー２４で反射され、第２コリメートレンズ２３、ハーフミラー２２を透過し、第２シリンドリカルレンズ２６によって非点収差を与えられて第２フォトディテクタ２７に集光する。第２フォトディテクタ２７は、受光した光信号を電気信号に変換して出力する。なお、出力された電気信号は処理されて、再生ＲＦ信号、フォーカスエラー信号、トラッキングエラー信号等となる。
【００２９】
なお、第１対物レンズ１７と第２対物レンズ２５とは、同一の可動子４（図２参照）に搭載され、対物レンズアクチュエータ３（図１又は図２参照）によってフォーカシング方向（図１の紙面と垂直な方向）とトラッキング方向（図１のガイドシャフト１００ａ、１００ｂと平行な方向））とに移動可能となっている。そして、上述のフォーカスエラー信号やトラッキング信号に基づいて、フォーカシング調整やトラッキング調整が行えるようになっている。
【００３０】
以上のように構成される本実施形態の光ピックアップ１において、第１光源１１と第２光源２１とは、いずれも、図２に示すように光源用ホルダ５に保持された状態で光ピックアップ１の本体部に取り付けられる。ところで、本実施形態の光ピックアップ１においては、第１光源１１から出射される直線偏光の偏光方向と、第２光源２１から出射される直線偏光の偏光方向とは異なる方向となっている。このため、第１光源１１と第２光源２１とでは光源用ホルダへの取り付け角が異なり、従来においては異なるタイプの２種類の光源用ホルダを準備する必要があった。しかし、本実施形態の光ピックアップ１が備える光源用ホルダ５は、１種類で取り付け角の異なる第１光源１１と第２光源２１とに対応でき、そのために２種類の光源用ホルダを準備する必要がない構造となっている。
【００３１】
（光源用ホルダの構成）
以下、本実施形態の光源用ホルダ５の構成について説明する。図４は、本実施形態の光源用ホルダ５の構成を示す概略斜視図である。図５は、本実施形態の光源用ホルダ５の構成を示す概略平面図である。図６は、図５に示す本実施形態の光源用ホルダ５を裏面側から見た場合の概略平面図である。図７は、本実施形態の光源用ホルダ５に保持される半導体レーザ素子（第１光源１１或いは第２光源２１）の構造を説明するための図で、図７（ａ）は側面から見た図、図７（ｂ）は上から見た図である。
【００３２】
光源用ホルダ５は、光源を固定するためのもので、弾性変形しやすくて、放熱性のよい材料（例えば、アルミニウム合金等）で形成される。光源用ホルダ５は、板状のホルダ本体５１の略中央部に、ホルダ本体５１を貫通する貫通孔５２が形成された構造を有している。この貫通孔５２には、第１光源１１或いは第２光源２１となる半導体レーザ素子が嵌め込まれる。
【００３３】
なお、第１光源１１及び第２光源２１となる半導体レーザ素子は、いずれも、図７に示すように、レーザ光を発するチップが固定される円筒形状のベース１０１と、ベース１０１の上に固定されてチップを覆う円筒形状のキャップ１０２と、を備える構成となっている。
【００３４】
図４に示すように、光源用ホルダ５の貫通孔５２の内壁には、リング形状のストッパー部５３が形成される。ストッパー部５３は、貫通孔５２の貫通方向の略中央に形成される。また、ストッパー部５３は、第１光源１１或いは第２光源２１となる半導体レーザ素子を貫通孔５２に嵌め込んだ（本実施形態では圧入する）際に、半導体レーザ素子のベース１０１がストッパー部５３に当接するように設けられている。すなわち、ストッパー部５３は、半導体レーザ素子を貫通孔５２に圧入する際に、半導体レーザ素子が光源用ホルダ５から抜け落ちるのを防止する機能（抜け止め機能）を有する。
【００３５】
本実施形態の光源用ホルダ５は、このストッパー部５３を境に、手前側が第１光源１１となる半導体レーザ素子を保持する第１の保持部５４として機能し、奥側が第２光源２１となる半導体レーザ素子を保持する第２の保持部５５として機能するように構成されている（図４参照）。このような点から、図５は第１の保持部５４側から見た場合の光源用ホルダ５の概略平面図、図６は、第２の保持部５５側から見た光源用ホルダ５の概略平面図に該当する。
【００３６】
図５に示すように、第１の保持部５４には、貫通孔５２の内壁から突出する第１の押圧リブ５６ａが３箇所に形成されている。この第１の押圧リブ５６ａは、その表面が図５に破線で示す円の一部（円弧）に沿うような曲面を有する。また、図５に破線で示す円の直径が、第１光源１１となる半導体レーザ素子のベース１０１の直径より僅かに小さくなるように３つの第１の押圧リブ５６ａは形成されている。このために、図５を参照して、紙面手前側から紙面奥側に向かって、半導体レーザ素子をベース１０１が手前、キャップ１０２が奥となるような配置で貫通孔５２に圧入した場合に、第１の押圧リブ５６ａがベース１０１を押圧して半導体レーザ素子を保持することができる。
【００３７】
また、図５に示すように、第１の保持部５４には、貫通孔５２の内壁から突出する第１の位置決め用リブ５７ａが１つ形成されている。図７に示すように、第１光源１１となる半導体レーザ素子のベース１０１には、断面視略矩形状の溝１０３が形成されている。この溝１０３は、例えば半導体レーザ素子から出射されるレーザ光の偏光方向を識別するために設けられている。従って、光源用ホルダ５に半導体レーザ素子に設けられる溝１０３と係合する位置決め用リブ５７ａを所定の位置に設けておけば、第１光源１１から出射されるレーザ光（直線偏光）の偏光方向を一定の向きに揃えた状態で半導体レーザ素子を光源用ホルダ５に配置することが可能となる。第１の位置決め用リブ５７ａはこのような狙いで形成されている。
【００３８】
図６に示すように、第２の保持部５５にも、第１の保持部５４の第１の押圧リブ５６ａと同様に、貫通孔５２の内壁から突出する第２の押圧リブ５６ｂが３箇所に形成されている。また、第１の保持部５４の第１の位置決め用リブ５７ａと同様に、貫通孔５２の内壁から突出する第２の位置決め用リブ５７ｂが１つ形成されている。ただし、第１の保持部５４と第２の保持部５５とでは、押圧リブと位置決め用リブの配置が異なっている。
【００３９】
すなわち、第２の押圧リブ５６ｂと第２の位置決め用リブ５７ｂとは、第１の保持部５４に第１の押圧リブ５６ａ及び第１の位置決め用リブ５７ａが形成される位置に対して、それぞれ角度αだけ回転した位置に設けられている。これは、本実施形態の光ピックアップ１においては、第１光源１１から出射されるレーザ光と第２光源２１から出射されるレーザ光とで、偏光方向を角度αだけ異ならせる必要があることに由来する。
【００４０】
本実施形態のように光源用ホルダ５を構成した場合には、次のような効果が得られる。すなわち、図４を参照して、第１光源１１に対して光源用ホルダ５を使用する場合には、手前側から奥側に向かって、半導体レーザ素子を貫通孔５２に圧入すれば、所望の取付角で半導体レーザ素子を保持した光源用ホルダ５を光ピックアップ１に設置できる。また、図４を参照して、第２光源２１に対して光源用ホルダ５を使用する場合には、奥側から手前側に向かって、半導体レーザ素子を貫通孔５２に圧入すれば、所望の取付角で半導体レーザ素子を保持した光源用ホルダ５を光ピックアップ１に設置できる。ここでは、半導体レーザ素子を取付孔５２に圧入するにあたっては、キャップ１０２、ベース１０１の順で挿入することを前提としている。
【００４１】
なお、本実施形態の光源用ホルダ５には、図４〜図６に示すように、貫通孔５を挟んでホルダ本体５１を貫通する孔５８ａ、５８ｂが１つずつ形成されている。この孔５８ａ、５８ｂは、光源用ホルダ５を治具によって保持し、光源１１、２１の光軸合わせを行えるようにするための治具用孔である。この治具用孔５８ａ、５８ｂは、光源用ホルダ５や治具の寸法公差を考慮して、一方が長孔とされている。そして、治具を保持するための治具用孔５８ａ、５８ｂを貫通孔とすることで、光源用ホルダ５を第１光源１１と第２光源２１とのうちのいずれに使用する場合でも、光源の光軸合わせを可能としている。
【００４２】
（その他）
以上に示した実施形態は一例であり、本発明は上述の実施形態に限定されるものではなく、本発明の目的を逸脱しない範囲で種々の変更が可能である。
【００４３】
例えば本実施形態では、第１の押圧リブ５６ａ及び第２の押圧リブ５６ｂの数を、それぞれ３つずつとしているが、この構成に限定される趣旨ではなく、その数は適宜変更してよい。また、押圧リブ５６ａ、５６ｂの形状も必ずしも本実施形態の構成に限定される趣旨ではない。半導体レーザ素子を貫通孔５２に圧入することにより半導体レーザ素子が保持できれば他の構成でも構わない。
【００４４】
また、本実施形態では、第１の位置決め用リブ５７ａ及び第２の位置決め用リブ５７ｂの数を、それぞれ１つずつとしているが、この構成に限定される趣旨ではなく、半導体レーザ素子の構造に合わせて、その数を適宜変更しても構わない。また、位置決め用リブ５７ａ、５７ｂの形状も、半導体レーザ素子に形成される溝１０３の形状に合わせて適宜変更してよい。
【００４５】
また、本実施形態では、第１光源１１と第２光源２１とが同一形状である場合の光源用ホルダ５の構成を示した。しかし、第１光源１１と第２光源２１とで形状が異なる（サイズの違いも含む）場合もあり得る。このような場合でも、本発明の光源用ホルダは適用できる。すなわち、第１の保持部５４と第２の保持部５５とで、光源を保持する部分の形状を光源の形状に合わせて異ならせる構成とすればよい。
【００４６】
また、以上においては、第１光源１１がＢＤ用の半導体レーザ素子で、第２光源２１がＤＶＤ及びＣＤ用の半導体レーザ素子である光ピックアップについて示した。しかし、この構成に限定されず、２つの光源を使用する光ピックアップに対して本発明が広く適用できるのは言うまでもない。
【産業上の利用可能性】
【００４７】
本発明の光源用ホルダは、２つの光源を備える光ピックアップに対して好適に適用できる。
【図面の簡単な説明】
【００４８】
【図１】は、本実施形態の光ピックアップの構成を示す概略平面図である。
【図２】は、本実施形態の光ピックアップの構成を示す概略側面図で、図１の位置Ａ側から見た側面図である。
【図３】は、本実施形態の光ピックアップが備える光学系の構成を示す概略平面図である。
【図４】は、本実施形態の光源用ホルダの構成を示す概略斜視図である。
【図５】は、本実施形態の光源用ホルダの構成を示す概略平面図である。
【図６】は、図５に示す本実施形態の光源用ホルダを裏面側から見た場合の概略平面図である。
【図７】は、本実施形態の光源用ホルダに保持される半導体レーザ素子の構造を説明するための図である。
【符号の説明】
【００４９】
１        光ピックアップ
１１      第１光源（半導体レーザ素子）
２１      第２光源（半導体レーザ素子）
５１      ホルダ本体部
５２      貫通孔
５３      ストッパー部
５４      第１の保持部
５５      第２の保持部
５６ａ    第１の押圧リブ（第１の押圧部）
５６ｂ    第２の押圧リブ（第２の押圧部）
５７ａ    第１の位置決め用リブ（第１の係合部）
５７ｂ    第２の位置決め用リブ（第２の係合部）
５８ａ、５８ｂ    治具用孔
【図１】
0004609517.tif 000002
【図２】
0004609517.tif 000003
【図３】
0004609517.tif 000004
【図４】
0004609517.tif 000005
【図５】
0004609517.tif 000006
【図６】
0004609517.tif 000007
【図７】
0004609517.tif 000008